(57)【要約】【課題】箱状樋の底部と、支持板の支持片部との間のシール剤による接合力を強化でき、それによって、箱状樋とドレン本体との隙間から入り込んできた水が箱状樋の外部に漏れ出ることを確実に防止できる排水ドレン装置を提供する。【解決手段】排水ドレン装置Ａの構成部材である支持板２は、支持片部２３の上面の周縁の内側に、支持片部２３を箱状樋Ｔの底部Ｔ１外面に添接、固定する際に支持片部２３の上面と底部Ｔ１外面との間に介在されるシール剤を収容するシール溜り凹部２６を備えた構造としている。【選択図】図１
2011089296.tif 000002
【特許請求の範囲】
【請求項１】
箱状に形成した箱状樋の底部と前壁部との入隅部における上記前壁部に排水用取付孔を開設し、その排水用取付孔に取り付けて上記箱状樋に溜まった雨水等を排水パイプに排水するための排水ドレン装置であって、
上記箱状樋の内側に設置されるドレン本体部と、上記箱状樋の外側に設置される支持板と、これらドレン本体部および支持板を連結可能な筒状ネジとより構成され、
上記ドレン本体部は、上記前壁部内面に添接される縦片を備えて縦断面略Ｌ状に形成され、上記縦片に排水孔を開設し、この排水孔の周縁から外方に向けて、上記排水用取付孔を貫通する筒状の排水管差込筒部を突設し、この排水管差込筒部の先端部の外周面に上記筒状ネジが螺着されるネジ部を有した構造とされ、
上記支持板は、上記前壁部外面に添接される縦片部と、この縦片部の下端から延設された、上記底部外面に添接される支持片部とを備えて縦断面略Ｌ状に形成され、上記縦片部に上記排水管差込筒部を挿通する挿通孔を開設し、この挿通孔の周縁から外方に向けて環状の鍔部を突設した構造とされ、
上記支持板の支持片部の上面の周縁の内側に、上記支持片部を上記箱状樋の底部外面に添接、固定する際に、上記支持片部の上面と上記底部外面との間に介在されるシール剤を収容するシール溜り凹部が形成されていることを特徴とする排水ドレン装置。
【請求項２】
請求項１において、
上記支持板の支持片部は、上面の周縁に堰部を備え、その堰部の内側を水溜り部とした形状とされ、
上記シール溜り凹部は、上記堰部と上記水溜り部との境界部に形成されている排水ドレン装置。
【発明の詳細な説明】
【技術分野】
【０００１】
本発明は、箱状樋の排水用取付孔に取り付けて箱状樋に溜まった雨水等を排水パイプに排水するための排水ドレン装置に関する。
【背景技術】
【０００２】
マンションの共通廊下やベランダ等（以下、「ベランダ等」と略す）に発生する水は、一般に箱状樋の底部の隅部に開設された排水口を通じて排水されるが、近年では、上方が開放された箱状樋をベランダ等に設置し、箱状樋の底部と前壁部との入隅部における前壁部に排水用取付孔を開設し、その排水用取付孔に取り付けて、箱状樋に溜まった雨水等を排水するための横引き用の排水ドレン装置が知られている（例えば、特許文献１参照）。
【０００３】
図６は、このような従来の排水ドレン装置２００を示す分解斜視図であり、図７（ａ）、（ｂ）および図８（ｃ）、（ｄ）は、図６で示した排水ドレン装置およびこれを用いてなる排水ドレン構造を示す縦断面図である。
【０００４】
すなわち、この排水ドレン構造は、ベランダ等に、上方が開放された箱状に形成した箱状樋１００を設置して、この箱状樋１００の底部１０１と前壁部１０２との入隅部１１０における前壁部１０２側に排水用取付孔１０３を開設し、この開設された排水用取付孔１０３に排水ドレン装置２００を取り付けて、ベランダ等に生じた水を排水するものである。
【０００５】
具体的には、排水ドレン装置２００は、箱状樋１００の前壁部１０２の内側に設置されるドレン本体部２０１と、箱状樋１００の前壁部１０２を介して前壁部１０２の外側に設置される支持板２０２と、ドレン本体部２０１および支持板２０２を挟着する筒状ネジ２０３とで構成されている。
【０００６】
そして、支持板２０２に開設した取付孔２１２を、排水用取付孔１０３の外側に重合するとともに、支持板２０２を底部１０１および前壁部１０２の外面に添接し、この重合した排水用取付孔１０３および取付孔２１２に向けて、ドレン本体部２０１の外方に向けて突設した排水管差込筒部２１１を、前壁部１０２の内側から貫通する（図７（ａ）参照）。
【０００７】
さらに、この貫通された排水管差込筒部２１１に、筒状ネジ２０３を排水管差込筒部２１１の先端から外嵌して螺着すれば、図中矢印で示すように、支持板２０２が前壁部１０２の外側から圧着するとともに、排水管差込筒部２１１が外側に引っ張られて、ドレン本体部２０１が前壁部１０２の内側から圧着する（図７（ｂ）、図８（ｃ）参照）。
【０００８】
このように、筒状ネジ２０３を螺着すれば、ドレン本体部２０１および支持板２０２が前壁部１０２を挟着した状態で連結され、排水ドレン装置２００を箱状樋１００の排水用取付孔１０３に取り付けできる（図８（ｃ）参照）。
【０００９】
最後に、このように取り付けた排水ドレン装置２００の筒状ネジ２０３に、排水パイプ３００等を内嵌して連結し、ベランダ等に生じた水Ｗを排水パイプ３００を通じて排水するのである（図８（ｄ）参照）。
【先行技術文献】
【特許文献】
【００１０】
【特許文献１】特開２０００−３５２１５７号公報  図３
【発明の概要】
【発明が解決しようとする課題】
【００１１】
しかしながら、この排水ドレン装置２００には、以下の問題があった。
【００１２】
すなわち、前述のようにして箱状樋１００の排水用取付孔１０３に排水ドレン装置２００を取り付けた場合、ドレン本体部２０１および支持板２０２は、前壁部１０２を挟着して、相互に圧着して取り付けられているが、底部１０１を挟着したドレン本体部２０１の延設片２２１と、支持板２０２の支持片部２２２との間には圧着関係はない。
【００１３】
そのため、ドレン本体部２０１の延設片２２１と、箱状樋１００の底部１０１との隙間ｔ１、および、箱状樋１００の底部１０１と、支持板２０２の支持片部２２２との隙間ｔ２にシール剤（不図示）を充填して部材面間を接着、接合して水漏れを防止するようにしているが、図８（ｄ）の拡大図に示すように、シール剤が剥がれた箇所等を水Ｗが伝って箱状樋１００の外部に漏れ出してしまうことがあった。
【００１４】
このような事態を避けるために、上記各部間をシール剤でしっかりと接合する必要があったが、箱状樋１００の底部１０１は延設片２２１と支持片部２２２との間に挟まれる面同士の接合であるため、あらかじめ接合面に塗布されたシール剤は、箱状樋１００の底部１０１を押圧によって強固に接合しようとすればするほど、薄く引き伸ばされて、かえって接合力が落ちてしまうという問題があった。
【００１５】
本発明は、かかる課題を考慮して提案されたもので、その目的は、箱状樋の底部と、支持板の支持片部との間のシール剤による接合力を強化でき、それによって、箱状樋とドレン本体との隙間から入り込んできた水が箱状樋の外部に漏れ出ることを確実に防止できる排水ドレン装置を提供することにある。
【課題を解決するための手段】
【００１６】
上記目的を達成するために、請求項１に記載の排水ドレン装置は、箱状に形成した箱状樋の底部と前壁部との入隅部における前壁部に排水用取付孔を開設し、その排水用取付孔に取り付けて箱状樋に溜まった雨水等を排水パイプに排水するための排水ドレン装置であって、箱状樋の内側に設置されるドレン本体部と、箱状樋の外側に設置される支持板と、これらドレン本体部および支持板を連結可能な筒状ネジとより構成され、ドレン本体部は、前壁部内面に添接される縦片を備えて縦断面略Ｌ状に形成され、縦片に排水孔を開設し、この排水孔の周縁から外方に向けて、排水用取付孔を貫通する筒状の排水管差込筒部を突設し、この排水管差込筒部の先端部の外周面に上記筒状ネジが螺着されるネジ部を有した構造とされ、支持板は、前壁部外面に添接される縦片部と、この縦片部の下端から延設された、底部外面に添接される支持片部とを備えて縦断面略Ｌ状に形成され、縦片部に排水管差込筒部を挿通する挿通孔を開設し、この挿通孔の周縁から外方に向けて環状の鍔部を突設した構造とされ、支持板の支持片部の上面の周縁の内側に、支持片部を箱状樋の底部外面に添接、固定する際に、支持片部の上面と底部外面との間に介在されるシール剤を収容するシール溜り凹部が形成されていることを特徴とする。
【００１７】
請求項２に記載の排水ドレン装置は、支持板の支持片部は、上面の周縁に堰部を備え、その堰部の内側を水溜り部とした形状とされ、シール溜り凹部は、堰部と水溜り部との境界部に形成されている。
【発明の効果】
【００１８】
請求項１に記載の排水ドレン装置によれば、支持板の支持片部の上面の周縁の内側に、支持片部を箱状樋の底部外面に添接、固定する際に支持片部の上面と底部外面との間に介在されるシール剤を収容するシール溜り凹部が形成されているので、支持片部と箱状樋の底部との間に十分な厚さの空間に十分な量のシール剤を介在させることができ、そのためシール剤層が剥がれることなく、強力な接合力で部材面間を接合させることができる。その結果、箱状樋とドレン本体との隙間から入り込んできた水が箱状樋の外部に漏れ出ることを確実に防止できる。
【００１９】
請求項２に記載の排水ドレン装置によれば、シール溜り凹部が支持片部の周縁に形成された堰部と、堰部の内側の水溜り部との境界部に形成されているので、確実に厚みのあるシール剤層を形成することができる。また、水溜り部の一部または全部をシール剤の充填空間に利用できるので、さらに接合力を強力にできる。
【図面の簡単な説明】
【００２０】
【図１】本発明に係る排水ドレン装置の一実施形態を示した分解斜視図である。
【図２】（ａ）、（ｂ）は、図１で示した排水ドレン装置を用いてなる排水ドレン構造を示す縦断面図である。
【図３】（ｃ）、（ｄ）は、同排水ドレン装置を用いてなる排水ドレン構造を示す縦断面図である。
【図４】（ａ）は図３（ｄ）のＸで示した要部拡大縦断面図、（ｂ）は同横断面図である。
【図５】（ａ）、（ｂ）は、排水ドレン装置のシール溜り凹部の他２例を示す要部横断面図である。
【図６】従来の排水ドレン装置を示す分解斜視図である。
【図７】（ａ）、（ｂ）は、図６で示した排水ドレン装置を用いてなる排水ドレン構造を示す縦断面図である。
【図８】（ｃ）、（ｄ）は、同排水ドレン装置を用いてなる排水ドレン構造を示す縦断面図である。
【発明を実施するための形態】
【００２１】
以下に、本発明の実施の形態について、図面を参照しながら説明する。
【００２２】
図１は、本発明に係る排水ドレン装置の一実施形態を示した分解斜視図であり、図２（ａ）、（ｂ）および図３（ｃ）、（ｄ）は、図１で示した排水ドレン装置を用いてなる排水ドレン構造を示す縦断面図である。また、図４（ａ）は図３（ｄ）のＸで示した要部拡大縦断面図、図４（ｂ）は同横断面図である。
【００２３】
本発明の排水ドレン装置Ａは、ベランダ等に設置される、上方が開放され箱状に形成した箱状樋Ｔの底部Ｔ１と前壁部Ｔ２との入隅部Ｔ３における前壁部Ｔ２側に排水用取付孔Ｈを開設し、その排水用取付孔Ｈに取り付けて箱状樋Ｔに溜まった雨水等を排水する装置であって、前壁部Ｔ２の内側に設置されるドレン本体部１と、前壁部Ｔ２の外側に設置される支持板２と、これらドレン本体部１および支持板２を連結可能な筒状ネジ３とを備えている。
【００２４】
ドレン本体部１は、縦断面略Ｌ状に形成され、前壁部Ｔ２の内面に添接される縦片１１には排水孔１２が開設され、この排水孔１２の周縁から外方に向けて、排水用取付孔Ｈに貫通する筒状の排水管差込筒部１３が突設され、さらに、この排水管差込筒部１３の先端には、外周面にネジ山を形成したネジ部１３ａを設けた構造となっている。また、ドレン本体部１の縦片１１の下端には、箱状樋Ｔの底部Ｔ１に接合する延設片１４が形成されている。
【００２５】
なお、排水孔１２の上部には、格子状のゴミ除け部１２ａが形成してあり、雨水以外のごみ、木の葉等を堰き止めて、箱状樋Ｔに溜まった雨水等だけをスムーズに排水するようにしている。
【００２６】
支持板２は、箱状樋Ｔの前壁部Ｔ２の外面に添接される縦片部２１と、この縦片部２１の下端から延設された、底部Ｔ１の外面に添接される支持片部２３とを備えて縦断面略Ｌ状に形成されている。
【００２７】
この縦片部２１には、排水管差込筒部１３を挿通する挿通孔２１ａが設けられ、この挿通孔２１ａの周縁から外方に向けて、排水管差込筒部１３を挿通する環状の鍔部２２が突設されている。
【００２８】
また、支持片部２３は、その上面の周縁に堰部２５を備え、その堰部２５に囲まれた内側の凹所を水溜り部２４とした構造となっているとともに、その堰部２５と水溜り部２４との境界部にコ字状のシール溜り凹部２６が形成されている。
【００２９】
一方、筒状ネジ３は、両端が開口され、内周面には、排水管差込筒部１３のネジ部１３ａのネジ山に螺着可能なネジ溝３１が形成されており、支持板２の挿通孔２１ａに挿通させたドレン本体部１の排水管差込筒部１３のネジ部１３ａに螺着することで、ドレン本体部１と支持板２とを固定する構造となっている。
【００３０】
なお、本実施形態では、排水管差込筒部１３の基部の外周上部に、排水管差込筒部１３の先端に向けて降下傾斜した傾斜突部１３ｂが形成されている。
【００３１】
以上のように３部材を連結して構成された排水ドレン装置Ａは、箱状樋Ｔに取り付けされた状態で、支持板２の鍔部２２と、それに隣接して固着された筒状ネジ３とに排水パイプ５が外嵌されて、排水ドレン構造が形成される。
【００３２】
以下、この排水ドレン構造について説明する。
【００３３】
まず、支持板２に開設した挿通孔２１ａを、箱状樋Ｔの排水用取付孔Ｈの外側に重合するようにして、支持板２を底部Ｔ１および前壁部Ｔ２の外面に添接し、この重合した排水用取付孔Ｈおよび挿通孔２１ａに向けて、ドレン本体部１の外方に向けて突設した排水管差込筒部１３を、前壁部Ｔ２の内側から貫通する（図２（ａ）参照）。
【００３４】
つぎに、この貫通された排水管差込筒部１３の先端に形成したネジ部１３ａに、筒状ネジ３を螺合していくと、筒状ネジ３が支持板２の鍔部２２先端に当接し、さらに、筒状ネジ３を螺合して鍔部２２全体、すなわち支持板２全体を内方（図中の右向き塗りつぶし矢印方向）に押圧していくと、排水管差込筒部１３が外側に引っ張られて、ドレン本体部１が前壁部Ｔ２の内側に圧着される（図２（ｂ）、図３（ｃ）参照）。
【００３５】
この圧着動作の際、支持板２の縦片部２１および鍔部２２は傾斜突部１３ｂに沿って内方に移動しようとし、それにともない圧着度合いは強くなって、ドレン本体部１と支持板２とは、それらの間に箱状樋Ｔを挟んだ状態で強固に隙間なく連結、固定される。
【００３６】
そして、このように箱状樋Ｔに取り付けた排水ドレン装置Ａの支持板２の鍔部２２に、排水パイプ５を外嵌すると、その後、ベランダ等に生じた水Ｗを排水パイプ５を通じて排水させることができる（図３（ｄ）参照）。
【００３７】
ここで、箱状樋Ｔの底部Ｔ１の排水ドレン装置Ａに対する接合は、圧着ではなくシール剤を介在させることによって行われる。
【００３８】
すなわち、ドレン本体部１の延設片１４の下面と、箱状樋Ｔの底部Ｔ１の上面との間、および、支持板２の支持片部２３の上面と、箱状樋Ｔび底部Ｔ１の下面との間にシール剤をあらかじめ塗布等により介在させることで箱状樋Ｔの底部Ｔ１を排水ドレン装置Ａに接合するようにしており、それによって箱状樋Ｔの外部への漏水の防止を図っている。
【００３９】
このような排水ドレン構造によれば、箱状樋Ｔを流れてくる水Ｗは排水管差込筒部１３の筒内を通過し排水パイプ５内に流れ込むが、ドレン本体部１の延設片１４と、箱状樋Ｔの底部Ｔ１との僅かな隙間ｔ１のシール剤層ｓ１のわずかな間隙等を通じて、水Ｗが底部Ｔ１の上面に毛細管現象で入り込み、さらに支持片部２３の上面に水Ｗ（漏水）が回り込んでくることがある（図３（ｄ）および図４（ａ）参照）。なお、図４（ａ）における矢印は水（漏水）Ｗの流れを示している。
【００４０】
ところが、本実施形態では、支持板２の支持片部２３の上面の周縁に形成された堰部２５に沿ってシール溜り凹部２６が形成してあり、そこに大量のシール剤を充填して支持片部２３の上面と箱状樋Ｔの底部Ｔ１とを接合させておくことができるので、箱状樋Ｔとドレン本体部１との隙間から入り込んできた水Ｗが箱状樋Ｔの外部に漏れ出ることが防止できる。
【００４１】
特に、シール溜り凹部２６が形成されているので、そこには図４（ｂ）に示すように、厚みのあるシール剤層ｓ２を形成することができ、そのためシール剤層ｓ２が剥がれることなく、強力な接合力でもって面同士を接合することができ、確実性の高い漏水防止対策となり得る。また、シール溜り凹部２６が形成されているので、接合作業をする際には、すくなくともそのシール溜り凹部２６にシール剤を充填しておけばよい。また、このシール溜り凹部２６を中心としてシール剤を充填すればよいので、余剰のシール剤が鍔部２２側へ移動するおそれはなく、シール剤が固化して水の流れを妨げる状態となることを防止できる。
【００４２】
また、ドレン本体部１の延設片１４と箱状樋Ｔの底部Ｔ１との間については、延設片１４の下面に同様のシール溜り凹部を形成してシール剤層ｓ１を厚くさせることができるが、その凹部の開口は下面を向いているため、箱状樋Ｔと排水ドレン装置Ａを連結する際に、そのシール溜り凹部にシール剤を充填してから延設片１４を底部Ｔ１の上面に配する作業がきわめて困難となり、そのような実施はほとんど不可能であるから、支持片部２３の上面にシール溜り凹部２６を設けることが有効な漏水防止対策となり得る。
【００４３】
なお、支持板２の支持片部２３の上面と、箱状樋Ｔの底部Ｔ１の下面との間のシール剤層ｓ２は、平面視では例えば、シール剤が鍔部２２の内底面に入り込まない程度に、図４（ｂ）の破線で示す部位に介在させるようにすればよい。
【００４４】
このように、本実施形態ではシール溜り凹部２６に隣接する水溜り部２４の一部をシール剤の充填部位として利用できるので、支持片部２３全体としてシール剤層ｓ２を厚く形成でき、接合力を向上させることができる。
【００４５】
また、このように水溜り部２４を有した構造であるため、水溜り部２４内のシール剤が充填されない部位には底部Ｔ１から入り込んできた水Ｗが溜まるが、その水Ｗが箱状樋Ｔの外部に漏れ出るおそれはなく、溜まった水は鍔部２２の内底面を経由して、鍔部２２の端部と筒状ネジ３の端部との間のわずかな隙間から、その水Ｗを毛細管現象で排水パイプ５内に排出させることができる。
【００４６】
ついで、シール溜り凹部の他例について説明する。図５（ａ）、（ｂ）はシール溜り凹部の他２例を示す要部横断面図である。なお、これらの図例ではドレン本体部１の図示を省略している。また、上記実施形態と同一の構造については、同一の符号を付してその説明を省略する。
【００４７】
図５（ａ）は、水溜り部２４の全体をシール溜り凹部２６として使用する例を示している。この例によれば、充填するシール剤が鍔部２２側へ流れ出すおそれはあるが、支持片部２３のほぼ全面に厚めのシール剤層ｓ２を形成することができるので、接合力を強化することができる。
【００４８】
また、図５（ｂ）では、支持片部２４の上面には水溜り部が形成されておらず、堰部２５に沿って、図４の例と同様のコ字形のシール溜り凹部２６が形成されている。このものによれば、支持片部２３と箱状樋Ｔの底部Ｔ１との隙間ｔ２には底部Ｔ１の上面の隙間ｔ１に介在させたシール剤層ｓ１と同程度の厚みでしかシール剤層ｓ２を形成できないが、シール溜り凹部２６が形成されているので、十分な量のシール剤を充填でき、十分な接合力が得られる。
【００４９】
以上の実施形態の説明では、シール溜り凹部２６として周縁に沿ったコ字形状の例、および周縁（堰部２５）の内側の水溜り部２４を代替使用する例を示したが、支持片部２３の上面であれば、例えば上流側と下流側を遮断し対向する辺縁を結ぶ縦断溝等、その他位置、形状のものでもよい。
【符号の説明】
【００５０】
Ｔ      箱状樋
Ｔ１      底部
Ｔ２      前壁部
Ｔ３      入隅部
Ｈ      排水用取付孔
Ａ      排水ドレン装置
１      ドレン本体部
１１      縦片
１２      排水孔
１３      排水管差込筒部
１３ａ      ネジ部
１３ｂ      傾斜突部
１４      延設片
２      支持板
２１      縦片部
２１ａ      挿通孔
２２      鍔部
２３      支持片部
２４      水溜り部
２５      堰部
２６      シール溜り凹部
３      筒状ネジ
３１      ネジ溝
５      排水パイプ
【図１】
2011089296.tif 000003
【図２】
2011089296.tif 000004
【図３】
2011089296.tif 000005
【図４】
2011089296.tif 000006
【図５】
2011089296.tif 000007
【図６】
2011089296.tif 000008
【図７】
2011089296.tif 000009
【図８】
2011089296.tif 000010